(57)【要約】【課題】短絡や感電のおそれを排除し、容易かつ確実に電気使用回線の供給開始・供給停止を行うことができるようにすると共に、電力供給に係る測定量をカードに格納することができるようにする。【解決手段】供給元から需要家に電力が供給される電力線に取り付けられ、需要家への給電量を測定する積算電力計１００を、給電量を測定するデジタル積算電力計１４０と、メモリ２０２を有するＩＣカード２００を挿脱可能として保持するカード保持部１１０と、カード保持部に保持されたカードの記録媒体とデータの送受信を行うと共にデジタル積算電力計１４０が測定した給電量データをＩＣカード２００のメモリ２０２に書き込むカードリードライト部１２０と、ＩＣカード２００のメモリ２０２に格納された給電許可データに基づいて動作し需要家への給電を許諾する断路器１３０と、を備えるように構成する。【選択図】図４
2007278980.tif 000002
【特許請求の範囲】
【請求項１】
供給元から需要家に電力を供給する電力線に取り付けられ、需要家への給電量を測定する電力量測定装置であって、
給電量を測定する給電量測定部と、
記録媒体を有するカードを挿脱可能として保持するカード保持部と、
前記カード保持部に保持されたカードの記録媒体とデータの送受信を行うデータ送受信部と、
前記カードの記録媒体に格納された給電許可データに基づき、需要家への給電を許諾する給電許可部と、
前記給電量測定部が測定した給電量データをカードの記憶媒体に書き込む測定量書込部と、
を備えることを特徴とする電力量測定装置。
【請求項２】
前記カード形状の記録媒体には、前記給電許可データを格納する許可データ格納領域と、前記電気使用量に関するデータを格納する使用量データ格納領域とが備えられることを特徴とする請求項１記載の電力量測定装置。
【請求項３】
前記カードは、接触式または非接触式データ送受信部を備え、
前記データ送受信部は、カードの接触式または非接触式データ送受信部との間でデータの送受信を行うことを特徴とする請求項１記載の電力量測定装置。
【発明の詳細な説明】
【技術分野】
【０００１】
本発明は電力量測定装置に係り、特に電力会社などの供給先からの需要家の屋内負荷に供給される電力線に取り付けられ、需要家に供給した電力量を測定することができる電力量測定装置に関する。
【背景技術】
【０００２】
図８は、従来の需要家への給電設備の一例を示す模式図である。電力会社からの電力は、電力線２２が吊設された電柱２１を備えた電力供給施設２０から家屋１０に供給される。この例では、電柱２１から低圧引込線２３が需要家の家屋１０に配置された引込線取付点３０まで接続され、この引込線取付点３０から積算電力計４０を経て分電盤５０に引き込まれるようになっている。この積算電力計４０は当該家屋１０の電力消費量を積算機４１で係数して積算値窓４２に表示する。また、分電盤５０には、漏電遮断装置５１や、屋内配線の各回路の安全ブレーカ５２が配置されている。なお、引込線取付点３０が設けられないことがあり、この場合には、低圧引込線２３は引込線取付点３０を経ることなく直接積算電力計４０に接続される（特許文献１、段落０００６及び図１参照）。
【０００３】
このような状態で、新築家屋や新築ビル等に入居者が入居する場合、給電を停止してあった既存家屋に新たな入居者が転入する場合、長期間の不在により給電を停止してあった家屋等へ入居者が戻る場合などには、電力需要家は電力会社に入居開始に合わせて給電開始を要請する。このような場合、電力会社は、その都度現地へ作業員を派遣して低圧引込線２３を電力需要家の引込線取付点３０や積算電力計４０に接続する作業を行っていた。また、需要家が電力を使用しなくなる場合には、電力会社は給電を停止するため、現地へ作業員を派遣して低圧引込線２３を外す作業を行っていた。
【０００４】
このような作業は、低圧引込線２３である電線を引込線取付点３０や積算電力計４０の端子にネジなどの締結具を使用して取り付け、取り外しを行うものである。
また、給電開始時における需要家での結線については特許文献１に記載がある。
【０００５】
需要家への電力供給量を測定する積算電力計として、特許文献２には、積算した電力の測定結果をＩＣカードに蓄積しておき、この積算量を無線で携帯端末装置に通信するようにしたものが記載されている。このような積算電力計によれば、人為的な読取ミスを防止でき、検針作業を容易にすることができる。
【０００６】
【特許文献１】特開平１０−１１２９４４号公報
【特許文献２】特開２００２−１６３３００号公報
【発明の開示】
【発明が解決しようとする課題】
【０００７】
ところで、上述したように、電気使用回線の供給開始、供給停止に際しては、低圧引込線２３や低圧引込線２３に接続された端子は露出され電圧が印加されている状態である。このような状態で、端子の接続、接続解放を行う作業者は、充電部である低圧引込線２３や端子を短絡させたり、自らが感電したりしないよう充分に注意を払い作業を行う必要がある。また、積算電力計にＩＣカードを適用した特許文献２のものは、上述のような給電開始、給電停止の際の不具合までは考慮されていない。
【０００８】
そこで本発明は、短絡や感電のおそれを排除し、容易かつ確実に電気使用回線の供給開始・供給停止を行うことができると共に、電力供給に係る測定量をカードに格納することができる電力量測定装置を提供することを目的とする。
【課題を解決するための手段】
【０００９】
本発明は、上記の課題を解決するため、供給元から需要家に電力が供給される電力線に取り付けられ、需要家への給電量を測定する電力量測定装置を、記録媒体を有するカードを挿脱可能として保持するカード保持部と、カード保持部に保持されたカードの記録媒体とデータの送受信を行うデータ送受信部と、給電電力量をデジタル量である測定量データとして格納する測定量保持部と、前記カードの記録媒体に格納された給電許可データに基づき、需要家への給電を許諾する給電許可部と、前記測定量保持部が格納した測定量データに基づきカードの記憶媒体に測定量データを書き込む測定量書込部と、を備えるものとして構成する。
【発明の効果】
【００１０】
本発明によれば、電力量測定装置にカードを挿入するだけで電力供給を開始することができると共に、電力量測定装置からカードを抜き出すだけで電力供給を停止することができるため、充電部は露出されることなく、短絡や、感電のおそれがなく、安全かつ高い効率で給電開始・停止作業を行うことができる他、カードの記憶媒体に供給量に関する測定量データを格納しておくことができる。
【発明を実施するための最良の形態】
【００１１】
以下本発明に係る電力量測定装置の実施の形態を説明する。
【００１２】
図１は本発明の実施の形態に係る電力量計測装置を使用した需要家への配電設備の配置状態を示す模式図である。
【００１３】
電力会社からの電力は、電力線２２が吊設された電柱２１を備えた電力供給施設２０から家屋１０に供給される。本例では、電柱２１から低圧引込線２３が需要家の家屋１０に配置された引込線取付点３０に接続されている。また、この引込線取付点３０と本例に係る電力量計測装置である積算電力計１００、積算電力計１００と分電盤５０とは接続状態となっている。引込線取付点３０及び分電盤５０は従来例で示したものと同様のものであり、分電盤５０には、漏電遮断装置５１及び安全ブレーカ５２が配置されている。
【００１４】
図２は図１に示した積算電力計１００の外観を示す斜視模式図である。本例では、積算電力計１００には、記録媒体を備えたカードであるＩＣカード２００を挿入、跋脱可能であり、挿入されたカード２００を保持するカード保持部１１０と、カード保持部１１０におけるカード２００の有無を検出すると共に、カードとデータの非接触でデータの送受信を行うデータ送受信部と、給電量データをカード２００に書き込む測定量書込部としてのカードリードライト部１２０と、このカードリードライト部１２０の指令に基づいて給電を許容又は禁止する断路器１３０と、デジタル積算電力計１４０をその内部に配置している。なお、積算電力計１００の表面には、デジタル積算電力計１４０の積算電力表示部１４２が現れている。なお、カード保持部１１０、カードリードライト部１２０、デジタル積算電力計１４０には、断路器１３０の上流から電力が供給されている。
【００１５】
ＩＣカード２００は、合成樹脂製の板材にＩＣチップ等の電子回路素子が埋め込まれたものでありカード２００の表面には必要に応じてＩＤ番号など文字、記号などを記載することができ、需要家の配電状況の管理に使用することができる。
【００１６】
図３は、図１に示した電力量測定装置の構成を示すブロック図である。
【００１７】
本例では、積算電力計１００には、カードリードライト部１２０、断路器１３０、デジタル積算電力計１４０が内蔵されている。
【００１８】
本例では、デジタル積算電力計１４０は、使用電力の積算値をデジタル出力する積算部１４１と、前記積算電力計１００の表面に表示部が現れる積算電力表示部１４２と、積算値データを格納するメモリ１４３と、デジタル積算電力計１４０を制御するＣＰＵ１４４とを備える。本例では、ＣＰＵ１４４は積算部１４１に使用された電力の積算値を使用電力の電圧と電流とから計算して積算し、表示部１４２に積算値をデジタル表示させると共に、メモリ１４３に積算値を格納していく。
【００１９】
図４は、図１に示したＩＣカードとカードリードライト部の構成を示すブロック図である。
【００２０】
ＩＣカード２００は、合成樹脂製の板材にＣＰＵ２０１、メモリ２０２、通信部２０３、アンテナ２０４を格納しており、通信部２０３は、アンテナ２０４で送受信される電波で、データを送受信するほか、前記カードリードライト部１２０から発信される電波で電力を受け取って各素子を駆動する電力を供給する。また、メモリ２０２には、給電許可データを格納する許可データ格納領域と、前記電気使用量に関するデータを格納する使用量データ格納領域とが備えられている。
【００２１】
カードリードライト部１２０は、ＣＰＵ１２１、ＲＯＭ１２２、ＲＡＭ１２３を備える他、アンテナ１２５を接続した通信制御部１２４を備え、通信制御部１２４はアンテナ１２５で前記ＩＣカード２００のアンテナ２０４との間で電波を送受信する。また、カードリードライト部１２０には、断路器１３０を駆動する断路器駆動部１２６と、前記デジタル積算電力計１４０のメモリ１４３に格納された積算電力値データを取り込む積算値入出力部１２７とを備える。
【００２２】
このように、本例では、カードリードライト部１２０は、通信制御部１２４を介して、メモリ２０２の給電許可データを読み取り、前記断路器駆動部１２６で断路器１３０の給電状態を許諾する。
【００２３】
なお、本例では、断路器１３０には、断路器駆動部１２６で給電が許可されると駆動され、分電盤５０への給電を許容する図示しない電磁継断器を備えている。この電磁継断器は、カードリードライト部１２０が給電開始データを読み取らないときには、非導通状態となるよう制御されている。このため、ＩＣカード２００をカード保持部１１０に挿入して通信制御部１２４を介して給電開始データを読み取らない限り、電磁継断器は非導通状態を保つ。
【００２４】
また、カードリードライト部１２０のＣＰＵ１２１は、前記積算値入出力部１２７を経て得たデジタル積算電力計１４０のメモリ１４３に格納された積算電力値をＩＣカード２００のメモリ２０２に反復的に書き込む。
【００２５】
次に本例に係る積算電力計１００の作動について説明する。
【００２６】
当初、家屋１０では、引込線取付点３０に低圧引込線２３が引き込まれ、引込線取付点３０と積算電力計１００との間、積算電力計１００と分電盤５０との間は接続状態とされている。また、カード保持部１１０にはカードが挿入されていない状態であり、断路器１３０は非導通状態であり、積算電力計４０への給電は停止されている。
【００２７】
この給電が停止された状態において、需要家の要望等により給電を開始するときには、電力会社の作業者は、この家屋１０専用のＩＣカード２００を持参し、家屋１０に赴く。
【００２８】
図５は図１に示す電力量測定装置の給電開始・停止の動作を示すフローチャートである。
【００２９】
作業者によりカード２００が積算電力計１００のカード保持部１１０に挿入されると、カードリードライト部１２０のＣＰＵ１２１は、ＩＣカード２００の有無を判定する（ＳＡ１）。そして、ＩＣカード２００を認識したときには、ＩＣカード２００のメモリ２０２に給電開始データの有無を確認する（ＳＡ２）。給電開始データが格納されている場合には、カードリードライト部１２０は、断路器駆動部１２６を介して断路器１３０を駆動して接続状態とする（ＳＡ３）。これにより、家屋１０への給電が開始される。
【００３０】
ＩＣカード２００を認識しない場合及び給電開始データを読み取れない場合には、カードリードライト部１２０が内蔵する断路器駆動部１２６は、断路器１３０を非導通状態に保持する（ＳＡ４）。
【００３１】
また、給電状態から、需要家の要望等により給電を停止するときには、電力会社の作業者は、家屋１０に赴き、ＩＣカード２００をカード保持部１１０から抜き出す。ＩＣカード２００を抜き出すことにより、カードリードライト部１２０のＣＰＵ１２１は、ＩＣカード２００無し、と判断して（ＳＡ１）、断路器１３０を非導通状態とし、積算電力計１００への給電は禁止される。これにより家屋１０への給電が停止される。
【００３２】
本例に係る積算電力計１００では、このような断路器１３０の制御と共に積算データをＩＣカード２００のメモリ２０２に書き込む処理を行う。
【００３３】
図６は図１に示す電力量測定装置の動作を示すフローチャートである。この例では、カードリードライト部１２０は、ＩＣカード２００の有無を確認（ＳＢ１）して、ＩＣカード２００がある限り、積算値入出力部１２７を介してデジタル積算電力計１４０のメモリ１４３の値を読み込み（ＳＢ２）、ＩＣカード２００のメモリ２０２に書き込む（ＳＢ３）これにより、ＩＣカード２００のメモリ２０２には常に最新の積算データが書き込まれることとなる。そして、給電を停止したときＩＣカード２００をカード保持部１１０から取り出せば、上述したように、家屋１０への給電が停止される他、ＩＣカード２００のメモリ２０２に当該家屋１０の最終的な積算電力データが格納されることとなる。
【００３４】
以上説明したように、本例に係る電力量測定装置によれば、作業者は給電の開始・停止作業において低圧引込線２３等の給電部を露出せず、手に持っての作業を行う必要がなくなるので、短絡や、感電のおそれがなくなり、安全かつ高い効率で給電開始・停止作業を行うことができる。また、本例に係る電力量測定装置によれば、停止時点における積算電力量をＩＣカード２００内のメモリ２０２に格納することができる。
【００３５】
次に、本発明に係る電力量測定装置の他の実施の形態について説明する。
【００３６】
図７は、本発明の他の実施の形態に係る電力量計測装置の構成を示すブロック図である。
【００３７】
本例では、積算電力計として、従来用いていたアナログ積算電力計４０を使用し、このアナログ積算電力計４０の電力供給側に遮断装置３００を配置するものである。また、本例では、アナログ積算電力計４０に、積算された積算電力量を電気量に変換するロータリーエンコーダ等のアナログ出力器３５０を配置するものとし、このアナログ出力器３５０の出力を遮断装置３００に入力するものとしている。
【００３８】
遮断装置３００は、上記第１の例と同様のＩＣカード２００を使用するものであり、上述した第１の例と同様のカード保持部３１０、カードリードライト部３２０を備えてる他、前記アナログ出力器３５０のアナログデータをデジタルデータに変換するアナログデジタルコンバータ３４０を備える。
【００３９】
本例に係る遮断装置３００によれば、ＩＣカード２００の挿入跋脱操作で給電の開始・停止を行うことができると共に、給電停止時点における積算電力量データをＩＣカード２００内のメモリ２０２に格納することができる。このため、給電開始停止を安全かつ高い効率で行え、更に積算電力値をＩＣカード２００に格納することができる。また、本例では、遮断装置３００を使用するに際しては家屋の既存積算電力計４０にアナログ出力器３５０を取り付けると共に給電設備に新たに遮断装置３００を設けるだけですみ、既存の給電設備をそのまま使用することができる。
【図面の簡単な説明】
【００４０】
【図１】本発明の実施の形態に係る電力量測定装置を使用した需要家への配電設備の配置状態を示す模式図である。
【図２】図１に示した電力量測定装置の外観を示す斜視模式図である。
【図３】図１に示した電力量測定装置の構成を示すブロック図である。
【図４】図１に示したＩＣカードとカードリーダライタの構成を示すブロック図である。
【図５】図１に示す電力量測定装置の給電開始・停止の動作を示すフローチャートである。
【図６】図１に示す電力量測定装置の動作を示すフローチャートである。
【図７】本発明の他の実施の形態に係る電力量測定装置の構成を示すブロック図である。
【図８】従来の需要家への配電設備の配置状態を示す模式図である。
【符号の説明】
【００４１】
１００    電力量測定装置
１１０    カード保持部
１２０    カードリードライト部（データ送受信部、測定量書込部）
１３０    断路器（給電許可部）
１４０    デジタル積算電力計（給電量測定部）
２００    ＩＣカード
２０２    メモリ
【図１】
2007278980.tif 000003
【図２】
2007278980.tif 000004
【図３】
2007278980.tif 000005
【図４】
2007278980.tif 000006
【図５】
2007278980.tif 000007
【図６】
2007278980.tif 000008
【図７】
2007278980.tif 000009
【図８】
2007278980.tif 000010